(57)【要約】【課題】  特別図柄表示に対する遊技者の意識を低下させ、演出図柄表示に注目させる。【解決手段】  始動口１６に対する遊技球の入賞に応じて特別図柄に係る抽選処理を行う主基板２６と、該主基板２６から出力される演出コマンドに応じて演出処理を行う周辺基板２７とを備えるパチンコ遊技機１において、主基板２６の制御に応じて特別図柄を表示する特別図柄表示装置２１と、周辺基板２７の制御に応じて特別図柄に係る演出図柄を表示する演出図柄表示装置２２とを個別に備えると共に、特別図柄表示装置２１を複数の発光素子（ＬＥＤ２４）で構成するにあたり、これらの発光素子が実装される特別図柄表示基板３１Ａ、３１Ｂを複数に分割する。【選択図】        図５
2006239227.tif 000002
【特許請求の範囲】
【請求項１】
始動口に対する遊技球の入賞に応じて特別図柄に係る抽選処理を行う主基板と、該主基板から出力される演出コマンドに応じて演出処理を行う周辺基板とを備える弾球遊技機において、
前記主基板の制御に応じて特別図柄を表示する特別図柄表示装置と、前記周辺基板の制御に応じて特別図柄に係る演出図柄を表示する演出図柄表示装置とを個別に備えると共に、前記特別図柄表示装置を複数の発光素子で構成するにあたり、これらの発光素子が実装される特別図柄表示基板を複数に分割したことを特徴とする弾球遊技機。
【請求項２】
前記複数の特別図柄表示基板は、互いに離間して配置されることを特徴とする請求項１記載の弾球遊技機。
【請求項３】
前記複数の特別図柄表示基板は、遊技盤面に設けられる複数の役物内に分散状に配置されることを特徴とする請求項１又は２記載の弾球遊技機。
【請求項４】
前記複数の特別図柄表示基板は、上位制御基板に設けられる一つのコネクタに対して電気的に接続されることを特徴とする請求項１〜３のいずれかに記載の弾球遊技機。
【発明の詳細な説明】
【技術分野】
【０００１】
本発明は、特別図柄表示装置と演出図柄表示装置を個別に備えると共に、特別図柄表示装置を複数の発光素子で構成したパチンコ遊技機などの弾球遊技機に関する。
【背景技術】
【０００２】
始動口に対する遊技球の入賞に応じて、特別図柄に係る抽選処理を行い、特別図柄に係る抽選に当選したとき、大入賞口を開放動作させる弾球遊技機が普及している。従来、この種の弾球遊技機は、液晶パネルなどで構成される特別図柄表示装置と、特別図柄に係る抽選処理を行う主制御基板と、該主制御基板からの演出コマンドに応じて特別図柄表示装置を制御する図柄表示制御基板とを備えており、通常、特別図柄表示装置では、特別図柄を変動表示するだけでなく、様々な演出図柄を用いて、リーチ予告演出、スーパーリーチ演出、大当り演出などが行われていた。
【０００３】
しかしながら、近年の遊技機規則に係る改正によれば、特別図柄表示装置を主基板で直接制御することが義務づけられ、しかも、主基板におけるＲＯＭの制御容量が３ＫＢ以下に制限されたため、特別図柄表示装置において多様な演出表示を行うことが実質的に困難になった。
【０００４】
そこで、特別図柄表示装置とは別に演出図柄表示装置を設けることが提案される（例えば、特許文献１参照）。このような弾球遊技機によれば、演出図柄表示装置を周辺基板で制御することにより、主基板の制御容量に影響を受けることなく、多様な演出表示を行うことが可能になる。
【特許文献１】特開２００１−１１２９７３号公報
【発明の開示】
【発明が解決しようとする課題】
【０００５】
ところで、主基板の制御に応じて特別図柄を表示する特別図柄表示装置と、周辺基板の制御に応じて特別図柄に係る演出図柄を表示する演出図柄表示装置とを個別に設ける場合、特別図柄表示装置は、発光素子などの簡易な表示デバイスで構成し、特別図柄を形式的に簡易表示することが想定される。例えば、複数のＬＥＤ（発光ダイオード）の点灯パターンで特別図柄を表示したり、一又は複数の７セグメントＬＥＤで特別図柄を表示することが想定されるが、このような特別図柄表示装置をセンター役物などに配置すると、遊技者の意識が特別図柄表示に移行し、演出図柄表示の注目度が低下する可能性がある。
【課題を解決するための手段】
【０００６】
本発明は、上記の如き実情に鑑みこれらの課題を解決することを目的として創作されたものであって、始動口に対する遊技球の入賞に応じて特別図柄に係る抽選処理を行う主基板と、該主基板から出力される演出コマンドに応じて演出処理を行う周辺基板とを備える弾球遊技機において、前記主基板の制御に応じて特別図柄を表示する特別図柄表示装置と、前記周辺基板の制御に応じて特別図柄に係る演出図柄を表示する演出図柄表示装置とを個別に備えると共に、前記特別図柄表示装置を複数の発光素子で構成するにあたり、これらの発光素子が実装される特別図柄表示基板を複数に分割したことを特徴とする。このように構成すれば、特別図柄表示用の発光素子を分割状に配置して、特別図柄表示を認識し難くできるので、特別図柄表示に対する遊技者の意識を低下させ、演出図柄表示に注目させることができる。
また、前記複数の特別図柄表示基板は、互いに離間して配置されることを特徴とする。このように構成すれば、特別図柄表示に対する遊技者の意識を更に低下させ、演出図柄表示の注目度を高めることができる。
また、前記複数の特別図柄表示基板は、遊技盤面に設けられる複数の役物内に分散状に配置されることを特徴とする。このように構成すれば、特別図柄表示に対する遊技者の意識を更に低下させることができるだけでなく、特別図柄表示用発光素子を電飾用発光素子に兼用し、発光素子の全体個数を削減することができる。
また、前記複数の特別図柄表示基板は、上位制御基板に設けられる一つのコネクタに対して電気的に接続されることを特徴とする。このように構成すれば、特別図柄表示基板を複数に分割しても、上位制御基板におけるコネクタの増加を回避することができる。
【発明の効果】
【０００７】
以上のように構成された本発明によれば、主基板の制御に応じて特別図柄を表示する特別図柄表示装置と、周辺基板の制御に応じて特別図柄に係る演出図柄を表示する演出図柄表示装置とを個別に備えると共に、特別図柄表示装置を複数の発光素子で構成するにあたり、これらの発光素子が実装される特別図柄表示基板を複数に分割したので、特別図柄表示用の発光素子を分割状に配置して、特別図柄表示を認識し難くでき、その結果、特別図柄表示に対する遊技者の意識を低下させ、演出図柄表示に注目させることができる。
【発明を実施するための最良の形態】
【０００８】
［第一実施形態］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００９】
パチンコ遊技機１の正面は、遊技領域を構成する遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、後述する各種の制御基板とを備えている。
【００１０】
図３に示すように、遊技盤４には、遊技球の発射経路を形成する発射レール１４、１５と、発射された遊技球を、始動口１６、入賞口（図示せず）、ゲート（図示せず）、大入賞口１７、アウト口１８などに誘導する遊技釘（図示せず）と、遊技領域の中央部に配置されるセンター役物１９と、遊技領域の左右両側部に配置されるサイド飾り役物２０と、特別図柄を表示する特別図柄表示装置２１と、特別図柄に係る演出図柄を表示する演出図柄表示装置２２とが設けられている。
【００１１】
始動口１６に遊技球が入賞すると、内部的に特別図柄抽選が行われ、その抽選結果に応じた図柄が特別図柄表示装置２１及び演出図柄表示装置２２に表示される。この抽選に当選すると、大入賞口１７が連続的に開放され（例えば、１５ラウンド）、遊技者が多くの遊技球を獲得できる。また、特別図柄抽選作動（又は特別図柄表示作動）は、所定個数（例えば、４個）を限度として保留記憶することができ、その記憶個数が作動保留記憶表示装置２３（図３では省略）に表示される。
【００１２】
遊技球がゲートを通過すると、内部的に普通図柄抽選が行われ、その抽選結果が普通図柄表示装置（本実施形態では演出図柄表示装置２２を兼用）に表示される。この抽選に当選すると、始動口１６が所定時間拡開され、始動口１６に対する入賞が容易になる。なお、始動口１６、入賞口、大入賞口１７のいずれにも入賞しなかった遊技球は、遊技領域の最下部に設けられるアウト口１８まで導かれ、ここから遊技盤４の裏側に排出される。
【００１３】
特別図柄表示装置２１は、演出図柄表示装置２２に比べて簡易な表示デバイス（発光素子）を用いて構成され、特別図柄を形式的に表示する。例えば、複数のＬＥＤ（発光ダイオード）で特別図柄表示装置２１を構成し、その点灯パターンで特別図柄表示を行ったり、複数の７セグメントＬＥＤで特別図柄表示装置２１を構成し、その表示文字列で特別図柄表示を行うことが可能であるが、本実施形態では、複数のＬＥＤで特別図柄表示装置２１を構成すると共に、これらを特別図柄表示用ＬＥＤ２４と称し、電飾用ＬＥＤ２５と区別する。
【００１４】
演出図柄表示装置２２は、特別図柄表示装置２１に比べて表現力の高い表示デバイス、例えば液晶パネルを用いて構成されている。演出図柄表示装置２２の表示内容は、始動口１６に対する遊技球の入賞に応じて特別図柄に係る演出図柄を変動表示し、これを所定時間後に停止させるものであれば、特に制限はない。例えば、３つの図柄を変動表示し、当りのときは同じ図柄で停止させる。また、演出図柄表示装置２２では、図柄表示だけでなく、リーチ予告演出、スーパーリーチ演出、大当り演出など、様々な演出表示を行うことができる。
【００１５】
次に、パチンコ遊技機１の基板構成について、図４を参照して説明する。図４に示すように、パチンコ遊技機１は、少なくとも主基板２６と、該主基板２６からの演出コマンドに応じて、演出処理を行う周辺基板２７とを備えている。本実施形態の主基板２６は、主制御基板２８、払出制御基板２９、発射モータ制御基板３０及び特別図柄表示基板３１を含み、周辺基板２７は、演出図柄表示制御基板３２、音声制御基板３３及びランプ制御基板３４を含んでいる。
【００１６】
払出制御基板２９には、玉切れスイッチ３５、払出センサ３６、払出モータ３７などが接続されており、主制御基板２８からの払出信号に応じて、遊技球の払い出しを行うほか、台間玉貸し機３からの貸出信号に応じて、遊技球の払い出しを行う。また、発射モータ制御基板３０には、発射スイッチ（ハンドル角センサ）３８、タッチセンサ３９、発射モータ１３などが接続されており、発射スイッチ３８及びタッチセンサ３９がＯＮのとき、発射モータ１３を駆動させる。また、特別図柄表示基板３１には、特別図柄表示装置２１を構成する特別図柄表示用ＬＥＤ２４が実装されており、主制御基板２８からの表示信号に応じて、特別図柄表示用ＬＥＤ２４を点灯動作させる。
【００１７】
主制御基板２８には、入賞口に対する遊技球の入賞を検出する入賞口スイッチＳＷ１、始動口１６に対する遊技球の入賞を検出する始動口スイッチＳＷ２、ゲートに対する遊技球の通過を検出するゲートスイッチＳＷ３、大入賞口１７に対する遊技球の入賞を検出する大入賞口スイッチＳＷ４、大入賞口１７内の特定領域に対する遊技球の通過を検出する特定領域スイッチＳＷ５、大入賞口１７などの開閉動作を行うソレノイドＳＯＬ、前述した作動保留記憶表示装置２３などが接続されている。そして、主制御基板２８は、上記各スイッチＳＷ１〜ＳＷ５の検出信号に応じて、特別図柄抽選処理、特別図柄表示処理、普通図柄抽選処理、普通図柄表示処理、演出コマンド送信処理などを行う。
【００１８】
演出図柄表示制御基板３２には、演出図柄表示装置２２が接続されており、主制御基板２８からの演出コマンドに応じて、演出図柄表示装置２２に演出図柄を表示させる。また、音声制御基板３３には、スピーカ１０が接続されており、主制御基板２８（又は演出図柄表示制御基板３２）からの演出コマンドに応じて、所定の演出音声をスピーカ１０から出音させる。また、ランプ制御基板３４には、前述した電飾用ＬＥＤ２５が実装されており、主制御基板２８（又は演出図柄表示制御基板３２）からの演出コマンドに応じて、電飾用ＬＥＤ２５を点灯動作させる。
【００１９】
図４及び図５に示すように、特別図柄表示基板３１は、複数に分割されている。第一実施形態では、第一特別図柄表示基板３１Ａと第二特別図柄表示基板３１Ｂに分割すると共に、各特別図柄表示基板３１Ａ、３１Ｂに、それぞれ複数の特別図柄表示用ＬＥＤ２４を実装している。このような構成によれば、特別図柄表示用ＬＥＤ２４を分割状に配置して、特別図柄表示を認識し難くできるので、特別図柄表示に対する遊技者の意識を低下させ、演出図柄表示に注目させることができる。
【００２０】
複数の特別図柄表示基板３１Ａ、３１Ｂは、互いに離間して配置されることが好ましい。例えば、図５に示すように、演出図柄表示装置２２を挟み、その左右両側に特別図柄表示基板３１Ａ、３１Ｂを振分け状に配置する。このようにすると、特別図柄表示に対する遊技者の意識を更に低下させ、演出図柄表示の注目度を高めることができる。
【００２１】
ところで、本実施形態では、複数の特別図柄表示基板３１Ａ、３１Ｂを上位制御基板である主制御基板２８に電気的に接続するにあたり、主制御基板２８に設けられる一つのコネクタ４０に対して、各基板３１Ａ、３１Ｂを接続している。これにより、特別図柄表示基板３１を複数に分割しても、主制御基板２８におけるコネクタ４０の増加を回避することができる。
【００２２】
［第二実施形態］
次に、本発明の第二実施形態について、図６及び図７を参照して説明する。但し、第一実施形態と共通の構成については、第一実施形態と同じ符号を付け、第一実施形態の説明を援用する。
【００２３】
図６及び図７に示すように、第二実施形態では、複数に分割した特別図柄表示基板３１Ａ〜３１Ｅを、遊技盤面に設けられる複数の役物内に分散状に配置した点が第一実施形態と相違している。具体的に説明すると、第二実施形態では、特別図柄表示基板３１Ａ〜３１Ｅを５つに分割し、第一の特別図柄表示基板３１Ａをセンター役物１９内に配置し、第二の特別図柄表示基板３１Ｂを左側のサイド飾り役物２０内に配置し、第三の特別図柄表示基板３１Ｃを右側のサイド飾り役物２０内に配置し、更に、第四及び第五の特別図柄表示基板３１Ｄ、３１Ｅを大入賞口１７の左右両側に配置している。このようにすると、特別図柄表示に対する遊技者の意識を更に低下させることができるだけでなく、特別図柄表示用ＬＥＤ２４が実質的に電飾用ＬＥＤ２５に兼用されるので、遊技盤面に設けられる発光素子の全体個数を削減することができる。
【００２４】
［第三実施形態］
次に、本発明の第三実施形態について、図８を参照して説明する。この図に示すように、第三実施形態では、複数の特別図柄表示基板３１Ａ〜３１Ｅを、主制御基板１８に直接接続することなく、特別図柄表示制御中継基板４１を介して接続する点が前記実施形態と相違している。このように構成すると、複数の特別図柄表示基板３１Ａ〜３１Ｅをそれぞれ主制御基板２８に接続する場合に比べ、配線を簡略化できるという利点がある。
【図面の簡単な説明】
【００２５】
【図１】パチンコ遊技機の正面図である。
【図２】パチンコ遊技機の背面図である。
【図３】第一実施形態に係る遊技盤の正面図である。
【図４】第一実施形態に係るパチンコ遊技機の基板構成を示すブロック図である。
【図５】第一実施形態に係るセンター役物の正面図である。
【図６】第二実施形態に係る遊技盤の正面図である。
【図７】第二実施形態に係るパチンコ遊技機の基板構成を示すブロック図である。
【図８】第三実施形態に係るパチンコ遊技機の基板構成を示すブロック図である。
【符号の説明】
【００２６】
１    パチンコ遊技機
４    遊技盤
１６  始動口
１７  大入賞口
１９  センター役物
２０  サイド飾り役物
２１  特別図柄表示装置
２２  演出図柄表示装置
２４  特別図柄表示用ＬＥＤ
２５  電飾用ＬＥＤ
２６  主基板
２７  周辺基板
２８  主制御基板
３１  特別図柄表示基板（Ａ〜Ｅ）
３２  演出図柄表示制御基板
４０  コネクタ
【図１】
2006239227.tif 000003
【図２】
2006239227.tif 000004
【図３】
2006239227.tif 000005
【図４】
2006239227.tif 000006
【図５】
2006239227.tif 000007
【図６】
2006239227.tif 000008
【図７】
2006239227.tif 000009
【図８】
2006239227.tif 000010